(57)【要約】【課題】座った楽な姿勢でシャワー流を受けつつ入浴感や温熱効果を高め、座った姿勢で体全体を温めることができるシャワー装置を提供する。【解決手段】凹状の座部と、前記座部の後方の上方に設けられ、前記座部の前方方向に吐水する吐水部と、を備え、前記座部に着座者が着座しない状態において、前記吐水の少なくとも一部が前記座部に直接あたるように、前記吐水部からの吐水の方向と、前記吐水部と前記座部との位置関係と、が調整されたことを特徴とするシャワー浴装置を提供する。【選択図】図１
2008178650.tif 000002
【特許請求の範囲】
【請求項１】
凹状の座部と、
前記座部の後方の上方に設けられ、前記座部の前方方向に吐水する吐水部と、
を備え、
前記座部に着座者が着座しない状態において、前記吐水の少なくとも一部が前記座部に直接あたるように、前記吐水部からの吐水の方向と、前記吐水部と前記座部との位置関係と、が調整されたことを特徴とするシャワー浴装置。
【請求項２】
前記座部に着座者が着座した状態において、前記吐水部からの吐水の少なくとも一部は、前記座部に着座した着座者の体表面を流れて前記凹状の座部に溜まることを特徴とする請求項１記載のシャワー浴装置。
【請求項３】
前記座部は、湯水が溜まる部分の周囲に設けられた堰部を有し、
前記堰部の高さは、前記座部の前方方向において最も低いことを特徴とする請求項１または２に記載のシャワー浴装置。
【請求項４】
前記座部は、後方から前方に向かって鉛直上方方向に傾斜する傾斜部を有することを特徴とする請求項１〜３のいずれか１つに記載のシャワー浴装置。
【請求項５】
前記座部の後方に背もたれ部が設けられたことを特徴とする請求項１〜４のいずれか１つに記載のシャワー浴装置。
【請求項６】
前記背もたれ部は、凹状に形成され、
前記吐水部から吐水された湯水の少なくとも一部は、前記背もたれ部を流れて前記凹状の座部に導かれることを特徴とする請求項５記載のシャワー浴装置。
【請求項７】
前記背もたれ部は、凹凸を有し、前記凹凸の凹部により形成される流路を介して前記座部に湯水が導かれることを特徴とする請求項６記載のシャワー浴装置。
【請求項８】
前記座部は、凹凸を有することを特徴とする請求項１〜７のいずれか１つに記載のシャワー浴装置。
【請求項９】
前記座部の下方に、湯水が溜まる足浴槽を設けたことを特徴とする請求項１〜８のいずれか１つに記載のシャワー浴装置。
【請求項１０】
前記座部から溢れた湯水を前方に導く案内部を設けたことを特徴とする請求項１〜９のいずれか１つに記載のシャワー浴装置。
【請求項１１】
前記座部に貯留される湯水を排水する開口部が設けられたことを特徴とする請求項１〜１０のいずれか１つに記載のシャワー浴装置。
【請求項１２】
前記座部に貯留された湯を吐水させ、前記座部に着座した着座者の下肢の裏側を温める下肢裏温め手段をさらに備えたことを特徴とする請求項１〜１０のいずれか１つに記載のシャワー浴装置。
【請求項１３】
前記下肢裏温め手段は、
前記座部に貯留される湯水の水位レベルより下方において前記座部に臨んで設けられた開口部と、
前記開口部に連通する下肢裏吐水部と、
を有することを特徴とする請求項１２記載のシャワー装置。
【発明の詳細な説明】
【技術分野】
【０００１】
本発明は、シャワー浴装置に関し、特に使用者が座った姿勢でシャワー浴を受けることができるシャワー浴装置に関する。
【背景技術】
【０００２】
使用者が座った姿勢でシャワー浴を受けることができるシャワー浴装置として、例えば特許文献１に開示されるものがある。特許文献１によれば、座った姿勢の使用者の背面から肩越しに前方にせり出したアームに設けられた噴霧ノズルから使用者に向けて噴霧がかけられる。
【特許文献１】国際公開第９７／３０６１９号パンフレット
【発明の開示】
【発明が解決しようとする課題】
【０００３】
近年、生活習慣が多様化すると共に入浴習慣も多様化している。すなわち、シャワーで体を洗い流し、浴槽で体を温めるといった従来の入浴のしかた以外にも、シャワーであっても浴槽に浸かるのと同じような入浴感や、体をしっかりと温めるといった機能が求められるようになってきている。
【０００４】
また、シャワー浴装置に対しては、単に体を洗うこと以外に、特に浴槽への出入り動作が困難な高齢者や身体に障害がある人にとっては、体を温める役割も期待される。しかし、座部に座った状態では、その座部の上方から吐水される吐水流だけでは、その吐水流が座部に遮られて下肢裏に届きにくく、全身に高い温熱効果を得ることは難しい。
【０００５】
本発明は、座った楽な姿勢でシャワー流を受けつつ入浴感や温熱効果を高めたシャワー浴装置を提供する。
【０００６】
または、本発明は、座った姿勢で体全体を温めることができるシャワー装置を提供する。
【課題を解決するための手段】
【０００７】
本発明の一態様によれば、凹状の座部と、前記座部の後方の上方に設けられ、前記座部の前方方向に吐水する吐水部と、を備え、前記座部に着座者が着座しない状態において、前記吐水の少なくとも一部が前記座部に直接あたるように、前記吐水部からの吐水の方向と、前記吐水部と前記座部との位置関係と、が調整されたことを特徴とするシャワー浴装置が提供される。
【発明の効果】
【０００８】
本発明によれば、座った楽な姿勢でシャワー流を受けつつ入浴感や温熱効果を高めたシャワー浴装置が提供される。  
または、本発明によれば、座った姿勢で体全体を温めることができるシャワー装置が提供される。
【発明を実施するための最良の形態】
【０００９】
以下に、図面を参照しつつ、本発明の実施形態について説明する。なお、各図面において、同様の要素には同一の符号を付した。
【００１０】
［第１の実施形態］
図１は、本発明の第１の実施形態に係るシャワー浴装置の外観を模式的に例示する斜視図である。  
図２は、図１におけるＡ−Ａ断面図である。  
図３は、図１におけるＢ−Ｂ断面図である。  
図４は、図１におけるＣ−Ｃ断面図である。
【００１１】
本実施形態に係るシャワー浴装置は、主として、浴室の壁面１００に設けられた背面部２と、浴室の床面１１０上に設けられた台部３と、を備える。本具体例においては、台部３は、背面部２の下部に一体的に設けられている。ただし、本発明はこれに限定されず、台部３と、背面部２とを、別体で設けてもよい。
【００１２】
台部３は、背面部２の前方側（図１における矢印ｙの方向）に出張っている。台部３の上面には、その上面の他の部分よりも床面１１０側にくぼんだ凹状の座部４が形成されている。すなわち、浴室壁面１００及び浴室床面１１０に対して略平行な第１の方向ｘ（台部３の幅方向）にみた台部３上面の両端部と、座部４との間には、壁部６を介して、段差が形成され、これが湯水を溜める堰部の一部として作用する。また、座部４には、その後方から前方に向かって鉛直上方方向に傾斜する傾斜部４Ｓが設けられている。
【００１３】
背面部２には、その背面部２の他の部分よりも浴室壁面１００側にくぼんだ凹状の背もたれ部５が形成されている。すなわち、第１の方向ｘにみた背面部２の両端部と、背もたれ部５との間には、壁部７を介して、段差が形成されている。
【００１４】
背もたれ部５および座部４は、ひとつながりの凹部として形成されている。背もたれ部５の第１の方向ｘ（幅方向）にみた両端に設けられた壁部７、および座部４の第１の方向ｘ（幅方向）にみた両端に設けられた壁部６も、ひとつながりになっている。
【００１５】
座部４は、図３（ａ）、（ｂ）に表されるように、第１の方向ｘ（幅方向）にみて凹状に形成されている。また、座部４は、第２の方向ｙ（図１参照）にみても凹状に形成されている。つまり、座部４の周囲には湯水を溜めるための堰部が形成されている。そして、これら堰部のうちで、背もたれ部５に対向する側すなわち前方の堰部は、他の３方の堰部よりも低く形成されている。このようにすると、座部４に溜まった湯水は、横方向に漏れ出ることなく、着座者２００の足に向けて落下する。  
そして、さらに図３（ｂ）に表したように一対の凹部４Ａを設けてもよい。これら凹部４Ａは、第２の方向ｙに延在して形成され、座部４に座った着座者の大腿部に対応する。このような凹部４Ａを設けることにより、着座者の大腿部をより安定して支持することができ、また、座部４に溜まった湯水を着座者の脚に向けて流すことができる。
【００１６】
また、座部４は、図２に表されるように、奥行き方向に向かって（背もたれ部５に向かって）下向き傾斜している。すなわち、座部４のくぼみ深さが、奥行き方向に向かって（背もたれ部５に向かって）徐々に深くなっている。
【００１７】
背面部２の上部であって、第１の方向ｘ（幅方向）にみた略中央部には、座部４に座った着座者の頭部、または首から頭部にかけての部分を支持するための頭部支持部２５が設けられている。頭部支持部２５は、背面部２に対して第２の方向（台部３の出張り方向）ｙに出張っている。
【００１８】
背もたれ部５よりも上方の背面部２には、１対の第１の吐水部２１が設けられている。第１の吐水部２１は、第１の方向ｘにみて頭部支持部２５を挟むように頭部支持部２５の左右両側に、それぞれ１つずつ設けられている。第１の吐水部２１は、使用者が座部４に着座した状態で、その着座者の肩よりも上方に位置する。また、座部４と第１の吐水部２１との間の高さは、浴室床面１１０からの座部４の高さよりも大きい。使用者が座部４に着座した際に、１対の第１の吐水部２１間に、着座者の顔または頭部を位置させることができるように、２つの第１の吐水部２１は、第１の方向ｘに互いに離間している。すなわち、１対の第１の吐水部２１は、使用者が座部に着座した状態で、着座者の顔または頭部を挟む位置に設けられている。ただし、第１の吐水部２１は、座部４に着座した使用者の頭部よりも高い位置に設けられていてもよい。第１の吐水部２１の吐水方向は、略水平方向、または水平方向よりやや下方に設定されている。
【００１９】
ここで、「略水平方向」とは、  水平面に対してプラスマイナス４５°以内であることが望ましく、プラスマイナス３０°以内であることがさらに望ましい。また、水平面に対してプラスマイナス２０°以内であることが、よりさらに望ましい。
【００２０】
すなわち、後に詳述するように、座部４に着座した着座者の肩よりも上方に設けられた第１の吐水部２１からは、着座者の下肢近傍に落下するシャワー流が吐水される。この場合、第１の吐水部２１の取付位置が低い場合には、着座者の肩越しにほぼ水平方向に向けてシャワー流を吐水させ着座者の下肢近傍に落下させることができる。一方、第１の吐水部２１の取付位置が高い場合には、水平方向に吐水させるとシャワー流は着座者の下肢よりも遠方に落下してしまうため、水平方向から下向きに吐水させる必要がある。つまり、第１の吐水部２１の取付位置が低い場合にはほぼ水平方向に吐水させ、取付位置が高くなるほど吐水方向を水平方向よりも下向きにする必要がある。
【００２１】
例えば、第１の吐水部２１の取付位置が低く、略水平方向に吐水させる場合には、シャワー流が着座者の下肢近傍に落下するまでの飛距離が短くなり、その結果、シャワー流の温度低下が起こりにくい。また、第１の吐水部２１の取付位置を低くすることによりシャワー浴装置を小型化できる。また、シャワー流が着座者の下肢近傍に落下する時の速度も遅くなる（下向きに吐水する際に加わる加速の影響が少ないからである）ため、シャワー流による着座者への刺激および水跳ねが低減され、着座者は快適に長時間全身シャワーを浴びることが可能となる。
【００２２】
なお、本具体例においては、左右一対の第１の吐水部２１が設けられているが、本発明はこれには限定されず、第１の吐水部２１はひとつでもよい。この場合には、第１の吐水部２１は、頭部支持部２５の左右両側に渡り設けてもよく、頭部支持部２５の上方に設けてもよい。
【００２３】
背もたれ部５よりも上方の背面部２であって、１対の第１の吐水部２１のそれぞれの下方には、１対の第２の吐水部２２が設けられている。第２の吐水部２２の吐水方向は、第１の吐水部２１の吐水方向よりも下方に設定され、着座者の肩に向かって吐水を行うように設定されている。なお、本具体例においては、左右一対の第２の吐水部２２が設けられているが、本発明はこれには限定されず、第２の吐水部２２はひとつでもよい。この場合には、第２の吐水部２２は中心付近に設けられる。
【００２４】
第２の吐水部２２とほぼ同じ高さあるいは第２の吐水部２２よりも少し上方の背面部２であって、第１、第２の吐水部２１、２２及び背もたれ部５よりも、第１の方向ｘ（背もたれ部２の幅方向）にみて外側には、１対の第３の吐水部２３が設けられている。第３の吐水部２３の吐水方向は、第１の吐水部２１の吐水方向よりも第１の方向ｘにみて内側に設定され、着座者の肩峰部に向けて吐水を行うように設定されている。
【００２５】
各吐水部２１〜２３からは、例えば４０〜４５℃程度のシャワー流が吐水される。なお、各吐水部２１〜２３は、２対以上設けてもよい。また、図示された具体例では、各吐水部２１〜２３は背面部２に対して個別に突出して設けられているが、図５に表すように、各吐水部（図５には、例えば第１及び第２の吐水部２１、２２を図示した）を１つのユニット体１４に内蔵させてもよい。
【００２６】
次に、本実施形態に係るシャワー浴装置の作用について説明する。  
図６は、着座者２００に対する各吐水部２１〜２３からのシャワー流の吐水の様子を模式的に表す斜視図である。
【００２７】
図２、６に表されるように、第１の吐水部２１からは、略水平方向に噴出し座部４の前縁近傍に落下するシャワー流が吐水される。すなわち、着座者２００の肩越しに着座者２００の前方へと自重により弧を描く軌跡でシャワー流が吐水され、着座者２００の特に大腿部を中心とした下肢近傍にシャワー流が落下する。なおこの時、シャワー流は、着座者２００の下肢だけでなく腹部にも落下するようにしてもよい。そして、このシャワー流は、着座者２００の膝から足に向けて下肢の表面を流れる。このような吐水方向に設定することで、着座者２００の後方であって、且つ第１の吐水部２１が着座者２００の下肢から遠い頭部付近に設けられた構成であっても、着座者２００の肩越しに吐水を行うことで、その吐水流が着座者２００に遮られることなく確実に下肢まで到達させて、膝から下の下肢までも温めることができる。また、このように高い位置から吐水させることにより「打たせ湯」のように、シャワー流によるマッサージ効果も下肢に作用させることができる。また、背もたれ部５の角度や着座者２００の姿勢によっては、第１の吐水部２１から吐水されるシャワー流を着座者２００の下腹部に落下させることもできる。
【００２８】
なお、第１の吐水部２１からのシャワー流が着座者２００の肩の真上を通過する場合に限らず、着座者２００の肩口（肩先）付近を通過する場合も、「肩越し吐水」に含まれる。ただし、着座者２００の肩の真上をシャワー流が通過するようにすれば、着座者２００の背面側に設けられた第１の吐水部２１から最短距離で下肢にまでシャワー流を到達させることができる。すなわち、第１の吐水部２１から吐水されたシャワー流が下肢に至るまでの飛翔中の温度低下を抑制でき、下肢を所望の温度のシャワー流で温めることができる。
【００２９】
第２の吐水部２２からは、着座者２００の首の付け根の近くの肩部に向けてシャワー流が吐水される。肩部にあたったシャワー流の一部は、着座者２００の胸部から胴部にかけての側部を中心とした体の前側表面を流れ、シャワー流の他の一部は、背中に回り込む。このようにして、着座者２００の体の前側と背中とをいずれも温めることができる。また、シャワー流によるマッサージ効果も肩部に作用させることができる。なお、前述したように第２の吐水部２２がひとつだけ設けれる場合には、例えば着座者２００の首の後ろから首の付け根の近くの両肩部に向けてシャワー流が吐水され、同様の効果が得られる。
【００３０】
第２の吐水部２２から着座者２００の首の付け根の近くの肩部に向けてシャワー流を吐水し着座者２００の上半身の前面と背中とにシャワー流を流すことにより、着座者２００の後方に設けた１対の第２の吐水部２２だけであっても、着座者２００の上半身全体を効率よく温めることができる。すなわち、吐水部を最小限にして低コスト化を図りつつ、高い温熱効果が得られる。
【００３１】
着座者２００の背面側に回り込んだ湯水は、着座者２００の背中または背もたれ部５を伝って、座部４に向けて連続的に流れる。すなわち、第２の吐水部２２から吐水された湯水が、背もたれ部５へ次々と流れ込むため着座者２００の背中と背もたれ部５との間に温度境界層ができず、湯水の熱が着座者２００の背中に伝わりやすくなる。身体の前面だけでなく背中側も同時に暖めることができるため、少ない流量でも温熱効果を高くでき、使用湯量の節約による節水及び省エネルギーにもなる。
【００３２】
また、背もたれ部５は、第１の方向ｘ（幅方向）の両端に形成された壁部７で仕切られ、また座部４へとつながる凹状に形成されているため、背もたれ部５に流れ込んだ湯水の飛散や流出を抑えて、無駄なく確実に座部４へと湯水を導くことができる。すなわち、少ない流量でも温熱効果を損なうことなく、また、使用湯量の節約による節水及び省エネルギーにもなる。
【００３３】
第３の吐水部２３からは、着座者２００の肩峰部（肩頂部）に向けてシャワー流が吐水される。肩峰部にあたったシャワー流は、第１及び第２の吐水部２１、２２からのシャワー流によってカバーしきれない、腕部の中央付近を中心とした部分に流れて、その部分を温める。また、肩峰から胸に向かってもシャワー流をあてることができる。第３の吐水部２３から肩峰部に向けてシャワー流を吐水することで、第１及び第２の吐水部２１、２２でカバーしきれない腕部などを、１対だけの吐水部２３でカバーでき、低コストである。
【００３４】
第１〜第３の吐水部２１〜２３から吐水された湯水は、着座者２００の体表面もしくは背もたれ部５を伝って、凹状の座部４に溜まる。つまり、座部４の周囲には湯水を溜めるための堰部が設けられている。座部４に湯水が溜まることで、着座者２００の臀部、および大腿部における少なくとも裏側が確実に湯水に接触した状態となる。これにより、各吐水部２１〜２３からの吐水流が直接当たらない腰部付近を効率的に温めることができる。また、腰部から臀部を温めることで、腸内運動の活性化も図れる。
【００３５】
座部４は、第１の方向ｘ（幅方向）の両端に形成された壁部６で仕切られ、また背もたれ部５からつながるくぼみとして形成されているため、湯水の横漏れを抑えて、各吐水部２１〜２３からの湯水を無駄なく効率的に利用できる。すなわち、使用湯水量の節約による節水及び省エネルギーが図れる。
【００３６】
座部４にも、着座者２００の体表面もしくは背もたれ部５を伝って次々と湯水が流れ込むため、着座者２００と座部４との間に温度境界層が発達せず、湯水の熱が着座者２００の臀部および大腿部に伝わりやすくなり、温熱効果を高めることができる。
【００３７】
またさらに、座部４に溜まった湯水は、前方（図１の方向ｙ）に向けて流出し、着座者２００の脚部から足を流れる。その結果として、湯水を無駄にせずに足まで温めることができる。特に、図３（ｂ）に例示したような凹部４Ａを設けると、座部４に溜まった湯水は着座者２００の脚部に向けて流れやすくなるので効率的である。
【００３８】
また、座部４に溜まった湯水に浸かりつつ、第１〜第３の吐水部２１〜２３によるシャワー流を体全体に受けることで、浴槽への入浴と同様なお湯に浸かる感覚（入浴感）を得ることができ、シャワー浴でありながら高い温熱効果を得られる。しかも、浴槽に浸かる場合に比べて水圧が体にかからず体への負担が少ない。浴槽の中に出入りする動作が必要なく、着座した状態で使用できるので、高齢者や身体動作に障害を有する使用者でも高い温熱効果を楽に得ることができる。また、体の部分ごとにシャワーをかけるのではなく、全身にシャワーを同時にかけられるため、短時間で節水しながらシャワーを浴びて体を温めることができる。
【００３９】
また、各吐水部２１〜２３から吐水されるのは噴霧ではなく連続的な水流からなるシャワー流であるため、ミスト（噴霧）を噴出させる場合のように周辺の空間が高温高湿雰囲気にならず、逆上せを防げる。またさらに、気化熱による吐水の温度低下が少ないので、シャワーの設定温度を必要以上に高く設定する必要がなく、経済的である。
【００４０】
なお、本実施形態のシャワー浴装置において第１〜第３の吐水部２１〜２３から吐水されるシャワー流は、各吐水部に設けられた複数のシャワー穴から吐水される。その穴径は、例えば０．２ｍｍ〜４ｍｍの範囲内であることが望ましく、この範囲であれば、少ない流量で広範囲に渡り効率的に温めることができる。
【００４１】
また、複数の吐水部を設けたアームが着座者の前方にせり出す特許文献１に比べて、本実施形態では、各吐水部２１〜２３を着座者２００の後方の浴室壁面に一体に設けることにより、限られたスペースの浴室空間内で、設置スペースの省スペース化が図れ、またコンパクトですっきりした構成であるため浴室内での鬱陶しさがなくなり、デザイン性も損なわない。また、前方にせり出すアームがないため、例えば使用者を車いすからシャワー浴装置の座部４へと移乗させる作業も安全且つ容易に行え、使い勝手がよい。
【００４２】
また、各吐水部２１〜２３からのシャワー流の吐水方向を前述したように適切に設定することで、着座者２００の前方に多数の吐水部を設けなくても、着座者の後方に最小限の吐水部を設けるだけで、少量の湯でも効率的に着座者２００の体全体を温めるシャワー浴が実現できる。吐水部を最小限にすることで、低コスト化も図れる。また、必要湯量を抑えることで、節水及び省エネルギーにもなる。
【００４３】
図７は、座部の他の具体例を表す模式断面図である。  
本具体では、台部３の上面に壁部２６を立設することで、その壁部２６によって台部３の他の上面と仕切られた凹状の座部４を設けている。
【００４４】
以下、本発明の他の実施形態について説明する。なお、前述したものと同様の要素については、同一の符号を付して詳細な説明は省略する。
【００４５】
［第２の実施形態］
図８は、本発明の第２の実施形態に係るシャワー浴装置における背もたれ部５の模式正面図である。  
図９は、図８におけるＤ−Ｄ断面図である。
【００４６】
本実施形態では、背もたれ部５に凹凸を設けている。図８に表される具体例では、例えば複数の円柱状の凸部１７を背もたれ部５に設けている。
【００４７】
図１０に表されるように、背もたれ部５に凹凸がないと、背もたれ部５と着座者２００の背中とが密着して、着座者２００の背中に湯水が流れにくい。これに対して、図９に表されるように、背もたれ部５に凹凸（凸部１７）を設けると、背もたれ部５と着座者２００の背中との間に、湯水が流れるための流路１３を確保できる。これにより、着座者２００の背中に接触しながら流れる湯水の流れを確実に確保でき、その湯水の流れによって着座者２００の背中を温めながら、座部４へと湯水を流し込むことができる。
【００４８】
なお、凸部１７の数や配列は、本具体例には限定されない。例えば、図８に例示した具体例とは異なり、凸部１７を千鳥格子状に配置すると、上下方向の流路が分断され、湯水を横方向に拡散させやすくなり、着座者２００の背中全体を偏りなく温めることができる。
【００４９】
また、凸部１７の形状やサイズも本具体例には限定されず、楕円柱状や角柱状などの各種の形状を与えることができる。また、その先端や角を適宜丸めることにより、着座者２００に与える刺激を調節することができる。凸部１７は、例えば、半球状のような曲面から構成されるものであってもよい。このような凸部１７を適宜配置すると、「つぼ押し」の効果も得られる。
【００５０】
図１１〜図１３は、背もたれ部５に設けられる凹凸の他の具体例を表す。  
図１１は、四角形状の凸部１７ａを背もたれ部５に設けた具体例を表す。  
図１２は、図１１と同じく四角形状の凸部１７ｂを設けているが、凸部１７ｂと凸部１７ｂとの間に形成される縦方向（背もたれ部５の高さ方向）の流路の途中にも凸部１７ｂを設けることで、流路が上から下までひとつながりとはならず、背もたれ部５の横方向に流水を拡散させやすい。すなわち、背もたれ部５全体に流水の流れを形成して、着座者２００の背中全体を偏りなく温めることができる。  
図１３は、凸部１７ｃと凸部１７ｃとの間の流路が、背もたれ部５の高さ方向に対して傾斜しており、この構成も、背もたれ部５全体に流水の流れを形成しやすい。
【００５１】
［第３の実施形態］
図１４は、本発明の第３の実施形態に係るシャワー浴装置の外観を模式的に例示する斜視図である。
【００５２】
本実施形態では、台部３において、その出張り方向（第２の方向ｙ）にみた前方側に位置する前面部２７には、浴室壁面１００側にくぼんだ凹部２８が形成されている。第１の方向ｘにみた前面部２７の両端部と、凹部２８との間には、壁部８を介して、段差が形成されている。凹部２８は座部４とつながっており、壁部８は座部４の両端に形成された壁部６とつながっている。
【００５３】
また、凹部２８の前方の浴室床面１１０上には、足浴槽２９が設けられている。第１〜第３の吐水部２１〜２３から吐水された湯水は、着座者の体表面を伝って、もしくは背もたれ部５および座部４を経て足浴槽２９に溜まる。
【００５４】
図１５に表されるように、着座者２００はその足部を、足浴槽２９に溜まった湯水に浸けることにより、第１〜第３の吐水部２１〜２３から最も遠く、また血流が流れにくく、皮膚温が低い足部の温熱効果を高めることができる。また、足部には、動静脈吻合（ＡＶＡ：arteriovenous anastomosis）があり、足部を足浴槽２９の湯水に浸けることでＡＶＡが開いて血流が増大し、これにより全身の温熱効果がさらに高まる。
【００５５】
また、台部３の前面部２７に、座部４とつながった凹部２８を設けたことで、座部４に溜まった湯水があふれても横漏れせずに凹部２８を流れて足浴槽２９に溜まるため、吐水部２１〜２３からの湯水を無駄なく利用することができる。
【００５６】
［第４の実施形態］
図１６、１７は、本発明の第４の実施形態に係るシャワー浴装置の外観を模式的に例示する斜視図である。
【００５７】
本実施形態では、台部３の凹部２８に、台部３の中の空間とつながる開口３０を形成して、その開口３０を介して、足浴槽２９を台部３の中に出し入れできるようにしている。
【００５８】
シャワー浴装置を使用しないときは、図１７に表されるように、足浴槽２９を台部３の中に収納することで、浴室床面上から足浴槽２９がなくなり、例えば清掃のときなどにじゃまにならない。また、デザイン的にすっきりして浴室内の見栄えを損ねない。また、例えば車椅子と座部４との間で使用者を移乗する際に、足浴槽２９がじゃまにならず、移乗性が向上する。
【００５９】
図１８、１９は、足浴槽２９の収納構造の他の具体例を表す。  
本具体例では、足浴槽２９がその後端部に設けられた軸部材３４を中心に回動可能となっており、足浴槽２９を、軸部材３４を中心として回動させることにより、足浴槽２９を台部３の中に収納したり、浴室床面上に設置したりできる。このようにしても、清掃などの際にじゃまにならず、見栄えもすっきりし、移乗性にも優れる。
【００６０】
［第５の実施形態］
図２０は、本発明の第５の実施形態に係るシャワー浴装置の模式側断面図である。
【００６１】
台部３の前面部に形成された凹部２８は、座部４から足浴槽２９へと湯水を導く案内部として機能するが、本実施形態では、さらにその凹部２８の上部に、前方に向けて下向き傾斜させた案内部３５を設け、この案内部３５によって、座部４から落下する湯水を、着座者２００のふくらはぎに導くようにしている。すなわち、座部４からの湯水が、着座者２００のふくらはぎに接触しながら足浴槽２９に流れるようにしており、これにより、ふくらはぎの温熱効果を高め、また、湯水がふくらはぎをさするようにして流れることによるマッサージ効果が得られる。
【００６２】
また、例えば図３（ａ）や（ｂ）に例示したような壁部６を案内部３５の両側に設けると、座部４から前方に溢れ出た湯水を横方向に漏らすことなく着座者２００のふくらはぎにあて、足浴槽２９に導くことができる。このような案内部３５を備えたものも、本発明の範囲に包含される。
【００６３】
［第６の実施形態］
図２１は、本発明の第６の実施形態に係るシャワー浴装置の模式側断面図である。
【００６４】
本実施形態では、背もたれ部５にミラーＭなどを適宜設け、シャワー浴装置を洗面カウンターとして用いることができるようにしている。すなわち、座部４が凹状に形成されているためこれに湯水が溜まり洗面器として使用できる。洗面カウンターおよび洗面器を別途設けなくてもよいので、省スペース且つ低コストである。また、座部４は、人が座っても耐えられる強度に設計されるため手すりとしても利用可能である。
【００６５】
（実施例）
表１は、背もたれ部５及び座部４を凹状とした場合（凹部あり）と、平坦にした場合（凹部なし）とで、シャワー浴を行っている着座者の背中の皮膚表面温度を測定した結果を表す。また、表２は、足浴槽２９を設けた場合（足浴槽あり）と、設けなかった場合（足浴槽なし）とで、シャワー浴を行っている着座者の足の皮膚表面温度を測定した結果を表す。
【表１】
2008178650.tif 000003
【表２】
2008178650.tif 000004
【００６６】
表１の結果より、背もたれ部５及び座部４を凹状とした場合の方が、平坦な場合よりも背中の温熱効果を高められることがわかる。また、表２の結果より、足浴槽２９を設けた方が、設けない場合よりも足の温熱効果を高められることがわかる。
【００６７】
また、図２２に表されるように、座部３６は、その四方を壁部３７ａ〜３７ｃによって囲まれる箱状に設けられた構成であってもよい。この場合、前端側（着座者の足側）の壁部３７ｃを、側部の壁部３７ａ、３７ｂよりも低くすることで、座部３６に溜まった湯水は、横漏れせずに前端側の壁部３７ｃを越えて着座者の足部や足浴槽に流れるため、湯水を無駄にすることなく足部を温めることができる。
【００６８】
［第７の実施形態］
図２３は、本発明の第７の実施形態に係るシャワー浴装置を模式的に表す側面図である。
【００６９】
本実施形態では、前述した背面部２に設けた吐水部２１〜２３の代わりに、背面部２の上部に、背面部２の前方にせり出したアーム７６を設け、そのアーム７６に複数の吐水部７７を設けている。それら複数の吐水部７７からは、座部４に着座した着座者の肩、腕、胸部、下肢に向けてシャワー流が吐水される。
【００７０】
そして、本実施形態においても、座部４に溜まった湯水に浸かりつつ、吐水部７７から吐水されるシャワー流を体全体に受けることで、浴槽への入浴と同様なお湯に浸かる感覚（入浴感）を得ることができ、シャワー浴でありながら高い温熱効果を得られる。しかも、浴槽に浸かる場合に比べて水圧が体にかからず体への負担が少ない。浴槽の中に出入りする動作が必要なく、着座した状態で使用できるので、高齢者や身体動作に障害を有する使用者でも高い温熱効果を楽に得ることができる。また、体の部分ごとにシャワーをかけるのではなく、全身にシャワーを同時にかけられるため、短時間で節水しながらシャワーを浴びて体を温めることができる。
【００７１】
［第８の実施形態］
図２４は、本発明の第８の実施形態に係るシャワー装置を側面方向から見た模式図である。  
図２５は、同シャワー装置を正面方向から見た模式図である。  
図２６は、同シャワー装置における要部を模式的に表す斜視図である。
【００７２】
本実施形態に係るシャワー装置は、浴室壁部に設けられた背部１１と、その背部１１が設けられた浴室壁部の下部に設けられた台部１２とを備えている。なお、背部１１を浴室壁部で構成、すなわち浴室壁部自体を着座者の背を受ける背部１１として機能させてもよい。
【００７３】
台部１２は、背部１１から浴室内方に向かって出張っている。台部１２の上面には、凹状にくぼんだ貯留部１６を有する座部１４が設けられている。貯留部１６の底面は、使用者が臀部を接触させて腰を下ろす座面１８として機能する。
【００７４】
座面１８は、奥行き方向に向かって（背部１１に向かって）下向き傾斜している。すなわち、貯留部１６のくぼみ深さが、奥行き方向に向かって（背部１１に向かって）徐々に深くなっている。
【００７５】
座部１４よりも上方の背部１１には、図２５に表すように一対の吐水部２０が設けられている。一対の吐水部２０は、座部１４の中心Ｃを挟んで、その中心Ｃの左右両側に設けられている。使用者は、座部１４に着座した状態で、その頭部を一対の吐水部２０間に位置させることができる。各吐水部２０は、使用者が座部１４に着座した状態で、その着座者の肩よりも上方に位置する。
【００７６】
各吐水部２０は、第１〜第３の吐水部２１〜２３を有する。第１〜第３の吐水部２１〜２３は、高さ方向に対して略垂直に交差する横方向に並んで設けられている。第１〜第３の吐水部２１〜２３のそれぞれは、複数の吐水口を有する。
【００７７】
座部１４の中心Ｃに対して最も内側に第３の吐水部２３が設けられ、第３の吐水部２３の外側に第２の吐水部２２が設けられ、第２の吐水部２２の外側に第１の吐水部２１が設けられている。第１〜第３の吐水部２１〜２３は、略同じ高さに設けられている。もしくは、第１の吐水部２１及び第３の吐水部２３に対して、第２の吐水部２２は若干高い位置に設けられている。各吐水部２１〜２３からは、例えば４０〜４５℃程度の湯のシャワー流が吐水される。
【００７８】
第２の吐水部２２からのシャワー流の吐水方向は、水平方向よりやや下方に設定されている。
【００７９】
第１の吐水部２１からのシャワー流の吐水方向は、座部１４に着座した着座者よりも外側（図２５において横方向に見た場合の外側）から、着座者の肩峰部付近に向くよう設定されている。
【００８０】
第３の吐水部２３からのシャワー流の吐水方向は、座部１４に着座した着座者の首の付け根近傍の肩部に向くよう設定されている。
【００８１】
前述した吐水部２１〜２３は、座部１４よりも上方からシャワー流を吐水して、そのシャワー流を座部１４に着座した着座者の体（首より下の部分）の前側に浴びせる。さらに本実施形態では、前述した吐水部２１〜２３からのシャワー流が届きにくい着座者の下肢の裏側を温める下肢裏温め手段を備えている。
【００８２】
下肢裏温め手段は、具体的には、貯留部１６に臨んで設けられた開口部３１と、その開口部３１に一端が連通する下肢裏給水路３２と、下肢裏給水路３２の他端に連通し、座面１８より下方に設けられた下肢裏吐水部３３とを有する。下肢裏給水路３２は、例えば、座面１８よりも下方の台部１２の中に設けられ、開口部３１と下肢裏吐水部３３とを接続する配管である。
【００８３】
図２６に表すように、貯留部１６の底面（座面）１８における背部１１側（背部１１と座面１８との境界部近傍）に、例えば２つの開口部３１が設けられている。２つの開口部３１に対応して、下肢裏吐水部３３および下肢裏給水路３２も２つずつ設けられている。なお、開口部３１、下肢裏給水路３２、下肢裏吐水部３３の数は２つに限らず、１つまたは３つ以上であってもよい。
【００８４】
台部１２において座部１４より下方には、浴室に臨む前方から浴室壁部が設けられた後方に向かう方向に下る勾配となっている傾斜部１９が設けられ、その傾斜部１９と浴室床面１１０との間には、後方（浴室壁部側）に向かうにしたがって徐々に高さ寸法が小さくなる空間が存在する。この空間があるため、座部に着座した着座者は、脚を後方に引いてもかかとが台部１２にぶつからない。
【００８５】
下肢裏吐水部３３は、傾斜部１９の上部（前方側）に設けられ、座面１８近傍の高さに位置している。下肢裏吐水部３３は、貯留部１６に貯留される湯の水位レベル及び開口部３１よりも下方に位置している。後述するように、貯留部１６に貯留される湯の水位と、下肢裏吐水部３３との間の水頭差によって、貯留部に溜められた湯が、開口部３１および下肢裏給水路３２を流れて下肢裏吐水部３３から前方（浴室側）に吐水されるため、下肢裏吐水部３３は、貯留部に貯留される湯の水位レベルより下方であればよく、開口部３１と同じ高さあるいは開口部３１より高い位置に設けてもよい。
【００８６】
また、下肢裏吐水部３３は、座部１４（台部１２）の前縁１５よりも後方（浴室壁部側）に設けられ、座部１４（台部１２）の前縁１５よりも前方（浴室側）に突き出ていない。
【００８７】
図２５に表すように、一対の下肢裏吐水部３３は、略同じ高さに設けられ、且つ高さ方向に対して略直角に交差する横方向に離間して設けられている。各々の下肢裏吐水部３３は、複数の吐水口３３ａを有する。
【００８８】
次に、本実施形態に係るシャワー装置の作用について説明する。  
図２４、２において各吐水部２１〜２３、３３から吐水されるシャワー流、および貯留部１６の前縁から溢れて落下する湯を破線で表す。
【００８９】
座部１４より上方の背部１１に設けられた一対の吐水部２０において、各々の第２の吐水部２２からは、水平方向よりやや下方に噴出し座部１４の前縁１５近傍に落下する湯のシャワー流が吐水される。別の視点から表現すれば、第２の吐水部２２からは、着座者の肩越しに着座者の前方へと自重により弧を描く軌跡でシャワー流が吐水され、着座者の特に大腿部を中心とした下肢近傍にシャワー流が落下する。なおこの時、シャワー流は、着座者の下肢だけでなく腹部にも落下するようにしてもよい。そして、このシャワー流は、着座者の膝から足に向けて下肢の表面を流れる。
【００９０】
第２の吐水部２２が、着座者の後方であって且つ着座者の下肢から遠い頭部付近に設けられた構成であっても、着座者の肩越しに吐水を行うことで、その吐水流が着座者に遮られることなく確実に下肢まで到達させて、膝から下の下肢を確実に温めることができる。
【００９１】
第３の吐水部２３からは、着座者の首の付け根の近くの肩部に向けてシャワー流が吐水される。肩部にあたったシャワー流の一部は、着座者の胸部から胴部にかけての体の前側及び側部を流れ、また、肩部にあたったシャワー流の他の一部は背中に回り込む。このようにして、着座者の体の前側と背中とをいずれも温めることができる。また、シャワー流によるマッサージ効果も肩部に作用させることができる。
【００９２】
第１の吐水部２１からは、着座者の肩峰部に向けてシャワー流が吐水される。肩峰部にあたったシャワー流は、第２の吐水部２２及び第３の吐水部２３からのシャワー流によってカバーしきれない、腕部の中央付近を中心とした部分や胴部の側部に流れて、その部分を温める。
【００９３】
着座者の背面側に回り込んだ湯は、着座者の背中または背部１１を伝って、座部１４に向けて次々と流れ込み、着座者の背中と背部１１との間に温度境界層が発達せず、湯の熱が着座者の背中に伝わりやすくなる。身体の前面だけでなく背中側も同時に暖めることができるため、少ない流量でも温熱効果を高くでき、使用湯量の節約による節水及び省エネルギーにもなる。
【００９４】
各吐水部２１〜２３から吐水された湯は、着座者の体表面もしくは背部１１を伝って、座部１４に設けられた凹状の貯留部１６に溜まる。貯留部１６に湯が溜まることで、着座者の臀部、および大腿部における少なくとも裏側が確実に湯に接触した状態となる。これにより、各吐水部２１〜２３からのシャワー流が直接当たらない臀部及び腰部付近を効率的に温めることができる。また、腰部から臀部を温めることで、腸内運動の活性化も図れる。
【００９５】
貯留部１６には、着座者の体表面もしくは背部１１を伝って次々と湯が流れ込むため、着座者と座面１８との間に温度境界層が発達せず、湯の熱が着座者の臀部および大腿部に伝わりやすくなり、温熱効果を高めることができる。
【００９６】
貯留部１６は、図２６に表すように、浴室側の前縁以外の三方を囲まれたくぼみとして形成されているため、湯の横漏れを抑えて、各吐水部２１〜２３からの湯を無駄なく効率的に利用できる。
【００９７】
貯留部１６に溜まった湯の一部は、浴室側の前縁から着座者の下肢裏に向けて流出し、下肢裏を温める。ただし、これは、貯留部１６から自然に溢れる湯を使うため、各吐水部２１〜２３からの吐水量や貯留部１６に溜められる湯量によっては、貯留部１６前縁から湯が勢いよく流出せず、下肢裏にあたらないことがあり得る。
【００９８】
しかし、本実施形態では、貯留部１６に貯留される湯の水位と、下肢裏吐水部３３との間の水頭差によって、貯留部１６に溜められた湯が、開口部３１および下肢裏給水路３２を介して下肢裏吐水部３３から吐水される。これは、貯留部１６から自然と湯が溢れる現象を利用するのではなく、前述した水頭差を利用して積極的に、下肢の裏側に向き合う部分に設けられた下肢裏吐水部３３からシャワー流を噴出させて、着座者の下肢裏に確実に浴びせることができる。
【００９９】
この結果、座部１４に着座した状態において、座部１４よりも上方からの吐水では座部１４に遮られてシャワー流が届かない下肢裏（ふくらはぎの裏、アキレス腱、かかとなど）を温めることができ、下肢の血行促進、リンパ液の滞り改善、むくみ改善等を図ることができる。
【０１００】
一般に、座面１８に臀部を接触させて着座すると、膝裏は座面１８（の前縁）近傍の高さに位置する。したがって、下肢裏吐水部３３を、座面１８（の前縁）近傍の高さに設けることで、下肢裏吐水部３３からの吐水流がふくらはぎに当たりやすくなり、ふくらはぎを確実に温めることができる。また、ふくらはぎに吐水流が当たれば、自然とそのふくらはぎよりも下方にあるかかとや足先にも湯が流れ、それらに直接吐水流が当たらなくてもそれらを間接的に温めることができる。上方からシャワー流を落下させて体の前側に浴びせる吐水部２１〜２３からの吐水流の吐水角度（鉛直線を基準とした角度）よりも、下肢裏吐水部３３からの吐水流の吐水角度（鉛直線を基準とした角度）が大きくなるよう設計することが望ましい。
【０１０１】
下肢裏吐水部３３は、座部１４に着座した着座者の下肢との干渉（下肢裏によって吐水口３３ａが塞がれることなど）を防ぐ観点から、座部１４の前縁１５よりも後方（浴室壁部側）に設けるのが望ましい。
【０１０２】
また、図２５に表すように、下肢裏吐水部３３は、高さ方向に対して略直角に交差する横方向に離間して２つ設けられている。これら２つの下肢裏吐水部３３間の距離は、一般に、人が座部１４に着座したときの両脚の間隔に対応した距離に設計されているため、着座者の両脚に対して同時に湯を浴びせることができる。
【０１０３】
また、各々の下肢裏吐水部３３は、複数の吐水口３３ａを有し、各々の下肢裏吐水部３３からは、広がりを持ったシャワー流が吐水される。これにより、着座姿勢の多様性に対応可能となる。例えば、一般に、男性は座ったとき、図２７に表すように両脚が膝のところで外側に開くがに股になることが多く、女性は座ったとき、図２８に表すようにふくらはぎ部分を「ハ」の字状に開く内股になることが多いが、横方向に複数設けられた下肢裏吐水部３３から広がりのあるシャワー流を吐水することで、着座者は無理な姿勢を強いられずに自然な着座姿勢で、下肢裏にお湯を受けることができる。
【０１０４】
なお、下肢裏吐水部は円形ヘッド状のものに限らず、図２９に表すように、横方向に沿って並んで設けられた複数の吐水口４７ａを有する横長の下肢裏吐水部４７を用いてもよい。
【０１０５】
以上説明したように本実施形態によれば、貯留部１６に溜まった湯に浸かりつつ着座した状態で、各吐水部２１〜２３、３３からのシャワー流を、首より上の部分を除く体全体に受けることで、お湯に浸かる感覚（入浴感）を得ることができ、シャワー浴でありながら高い温熱効果を得られる。しかも、浴槽に浸かる場合に比べて水圧が体にかからず体への負担が少ない。さらに、浴槽に比べて立ち座りの落差が小さいのでさらに血圧変動が少なく安全である。また、浴槽の中に出入りする動作が必要なく、着座した状態で使用できるので、高齢者や身体動作に障害を有する使用者でも高い温熱効果を楽に得ることができる。また、体の部分ごとにシャワーをかけるのではなく、全身にシャワーを同時にかけられるため、短時間で節水しながらシャワーを浴びて体を温めることができる。
【０１０６】
前述した「シャワー流」とは、吐水部２１〜２３、３３から吐水された瞬間が線状となって吐水されるものも、流滴状となって吐水されるもの（ミスト流）も含む。各吐水部２１〜２３、３３から噴霧ではなく連続的な水流からなるシャワー流を吐水すれば、ミスト（噴霧）を噴出させる場合のように周辺の空間が高温高湿雰囲気にならず、逆上せを防げる。またその場合のシャワー流は、ミストに比べて気化熱による吐水の温度低下が小さいので、シャワー流の設定温度を必要以上に高く設定する必要がなく、経済的である。
【０１０７】
また、下肢裏を温めるのに使うお湯は、下肢裏以外を温めるための吐水部２１〜２３から吐水され、座部１４の貯留部１６に溜まった湯を再利用しているので経済的である。
【０１０８】
また、貯留部１６の底面は、浴室側の前方から背部１１側の後方に向かって下り勾配がつけられ、開口部３１は、その貯留部１６底面における背部１１側の部分に設けられたため、開口部３１、下肢裏給水路３２および下肢裏吐水部３３を介して、使用後、貯留部１６に残ったお湯を排水することが可能である。これにより、使用後、貯留部１６に湯水が残らず、清掃性がよく、また水垢が付きにくい。
【０１０９】
開口部３１が設けられる貯留部１６の底面は、座面１８としても機能する。したがって、開口部３１が着座者の臀部や大腿部の裏側で塞がれないように、座面１８と背部１１との境界近傍に開口部３１を設けるのが望ましい。また、この場合、前述した座面１８の勾配を利用して、貯留部１６に残った湯水を開口部３１に導くことができ、水抜きもしやすい。
【０１１０】
また、図２９に表すように、座面１８における背部１１との境界近傍に、横方向に延在する溝３８を設けて、その溝３８内に開口部３１を形成すれば、開口部３１の上に着座者の臀部が位置しても、溝３８を介して、貯留部１６に溜められた湯を開口部３１に導くことができる。この場合、開口部３１及び溝３８は、必ずしも背部１１側に設けなくてもよい。
【０１１１】
［第９の実施形態］
本実施形態に係るシャワー装置では、下肢裏吐水部３３の吐水方向を調整可能としている。吐水方向を適切に設定することで、使用者の好みに応じた下肢裏温めを行うことができる。
【０１１２】
例えば、図３０に表すように、下肢裏吐水部３３の吐水口が形成された吐水面を斜め上方に向けることで、下肢裏吐水部３３から吐水されるシャワー流が着座者の膝裏近傍にあたりやすくなり、膝裏を確実に温めることができる。膝裏は、脂肪や筋肉が少ないので、膝裏に直接湯の吐水流がかかれば血行を促進しやすく、大きな温熱効果が得られる。
【０１１３】
また、例えば図３１に表すように、下肢裏吐水部３３の吐水面を斜め下方に向ければ、ふくらはぎからそれより下の足部を重点的に温めることができる。
【０１１４】
また、下肢裏吐水部３３からのシャワー流を直接受けたくない場合には、下肢裏吐水部３３の吐水方向を浴室床面１１０に向け、浴室床面１１０に着水した湯が足先に流れること、さらには浴室床面１１０上から立ち上る湯気によって、足裏、ふくらはぎ、膝裏などを間接的に温めることができる。また、この場合、足先近傍に集中して湯が流れるので、足裏も温めることができる。
【０１１５】
下肢裏吐水部３３の吐水方向は、上下方向だけでなく横方向にも調整可能である。例えば、図３２に表すがに股座りの人と、図３３に表す内股座りの人で、吐水方向の横方向の開き具合を調整することで、効率よく吐水流を着座者の下肢裏に浴びせることができる。
【０１１６】
［第１０の実施形態］
本実施形態に係るシャワー装置では、下肢裏吐水部３３の位置を調整可能としている。下肢裏吐水部３３の前後方向の位置や、横方向の位置を調整することで、使用者の体格、座り方、脚の置き方などの違いに柔軟に対応でき、確実に着座者の下肢裏に吐水流を浴びせることが可能となる。
【０１１７】
例えば、着座者が体を後方に倒すようにして腰掛けた場合、浅く腰掛けた場合、脚を前方に投げ出して着座した場合などには、下肢裏が座部１４（台部１２）から前方に離れて位置することが想定されるが、この場合、図３４に表すように、下肢裏吐水部３３を座部１４（台部１２）前縁よりも前方に突出させて下肢裏との距離を縮めて、下肢裏に確実に吐水流があたるようにできる。
【０１１８】
また、下肢裏吐水部３３の前後方向の位置を変えることで、吐水されたシャワー流が着座者の下肢裏に到達するまでの飛距離を変えることができ、これにより、吐水流が下肢裏にあたるときの温度を好みに応じて変えることができる。
【０１１９】
図３５は、例えば前後方向の位置調整が可能に設けられた下肢裏吐水部４３を表す模式図である。
【０１２０】
下肢裏吐水部４３における浴室側に臨む横長の吐水面には、横方向に沿って並んだ複数の吐水口４４が形成されている。下肢裏吐水部４３は、吐水口４４を浴室側の空間に臨ませた状態で座部１４の下方に収容可能であり（図３５（ａ））、且つその収容状態から図３５（ｂ）に表すように前方に引き出し可能に設けられている。下肢裏吐水部４３の引き出し位置を調整することで、下肢裏吐水部４３の前後方向の位置を調整できる。
【０１２１】
［第１１の実施形態］
下肢裏吐水部３３からの吐水流の流量を調節することで、下肢裏にあたる吐水流による刺激感、吐水方向などを調整することができる。
【０１２２】
例えば、図３６に表す具体例では、開口部３１から下肢裏吐水部３３へと続く下肢裏給水路３２の途中に、流量調整手段（例えばバルブ）４１を設けて、下肢裏吐水部３３からの吐水流量を調整可能としている。
【０１２３】
また、流量調整手段４１の開度調整によって、貯留部１６に溜められる湯の貯留量を調整することもできる。例えば、夏は貯留部１６に湯を溜めないもしくは貯留量を少なくし、冬は貯留部１６に湯を溜めるもしくは貯留量を多くするなど好みに対応できる。
【０１２４】
［第１２の実施形態］
図３７は、本発明の第１２の実施形態に係るシャワー装置を側面方向から見た模式図である。  
図３８は、同シャワー装置を正面方向から見た模式図である。
【０１２５】
本実施形態に係るシャワー装置は、座部１４より上方に設けられ着座者の体の前側に湯のシャワー流を浴びせる吐水部が前述した実施形態と異なる。
【０１２６】
すなわち、本実施形態では、背部１１の上部に前方にせり出したアーム８１を設け、そのアーム８１に複数の吐水部を設けている。それら複数の吐水部からは、座部に着座した着座者の肩、腕、胸部、下肢に向けてシャワー流が吐水される。
【０１２７】
本実施形態においても、貯留部１６に溜まった湯に浸かりつつ着座した状態で、アーム８１に設けた吐水部及び下肢裏吐水部３３からのシャワー流を、首より上の部分を除く体全体に受けることで、お湯に浸かる感覚（入浴感）を得ることができ、シャワー浴でありながら高い温熱効果を得られる。
【０１２８】
［第１３の実施形態］
図３９は、本発明の第１３の実施形態に係るシャワー装置を側面方向から見た模式図である。
【０１２９】
本実施形態では、下肢裏温め手段として、座部１４（台部１２）の前縁１５に、前方に突出した案内部９１を設けている。案内部９１は、座部１４の前縁１５から斜め前方下方に傾斜した傾斜面９１ａを有する。
【０１３０】
座部１４の貯留部１６から溢れた湯は、前縁１５から案内部９１の傾斜面９１ａに案内されて、着座者の下肢裏に向けて吐水される。これにより、本実施形態においても、座部１４より上方に設けた吐水部２０ではカバーしきれない下肢裏に対して湯を確実に浴びせて下肢裏を温めることができる。
【０１３１】
［第１４の実施形態］
図４０（ａ）及び（ｂ）は、本発明の第１４の実施形態に係るシャワー浴装置の模式図である。  
本実施形態のシャワー浴装置は、着座者２００の頭部またはそれよりも上方において設けられた一対の第１の吐水部２１と、その下に設けられた第２の吐水部２２と、を有する。第１の吐水部２１の吐水方向は、略水平方向または斜め下方に設定され、吐水されたシャワー流の少なくとも一部は、図４０（ｂ）に表したように、座部４に着座した着座者２００の大腿部を中心とした下肢近傍に落下する。
【０１３２】
一方、第２の吐水部２２は、座部４に着座した着座者２００の首から両肩の背後に２次元的に設けられた複数のシャワー孔を有する。これらシャワー孔からの吐水方向も、略水平方向または斜め下方に設定されている。第２の吐水部２２から吐水されるシャワー流は、図４０（ｂ）に表したように、着座者２００の首、肩、肩峰部（肩頂部）を含む範囲をカバーする。第２の吐水部２２は、着座者２００の真後ろにも設けられているので、着座者２００の首や背中の真後ろにもむらなくシャワー流をあてることができる。このようにして、着座者２００の首から下のほぼ全身をむらなく温めることができる。
【０１３３】
そして、本実施形態においても、座部４の周囲には湯水を溜めるための堰部が形成されている。そして、これら堰部のうちで、前方の堰部は、他の３方の堰部よりも低く形成されている。このようにすると、座部４に溜まった湯水は、横方向に漏れ出ることなく、着座者２００の足に向けて落下する。その結果、着座者２００の足をより効果的に暖めることができる。
【０１３４】
なお、第１の吐水部２１と第２の吐水部２２は、一体的に形成してもよい。すなわち、共通の基体（図示せず）に第１の吐水部２１と第２の吐水部２２を形成してもよい。この場合、この基体の角度や位置を変えることで、第１の吐水部２１と第２の吐水部２２の吐水方向や吐水位置を同時に調節することが可能となる。
【０１３５】
または、図４０（ａ）及び（ｂ）に表したように、第１の吐水部２１と第２の吐水部２２とを別体として形成してもよい。すなわち、第１の吐水部２１と第２の吐水部２２を別々の基体にそれぞれ形成してもよい。この場合には、第１の吐水部２１の吐水方向や吐水位置と、第２の吐水部２２の吐水方向や吐水位置と、を独立に調節可能とすることができる。
【０１３６】
［第１５の実施形態］
図４１（ａ）及び（ｂ）は、本発明の第１５の実施形態に係るシャワー浴装置の模式図である。  
本実施形態のシャワー浴装置も、第１４の実施形態のシャワー装置と同様に、座部４に着座した着座者２００の頭部またはそれよりも上方において設けられた一対の第１の吐水部２１と、その下に設けられた第２の吐水部２２と、を有する。第１の吐水部２１の吐水方向は、略水平方向または斜め下方に設定され、吐水されたシャワー流の少なくとも一部は、図４１（ｂ）に表したように、着座者２００の大腿部を中心とした下肢近傍に落下する。
【０１３７】
一方、第２の吐水部２２は、座部４に着座した着座者２００の首から両肩の背後に横方向に一列に並んだ複数のシャワー孔を有する。これらシャワー孔からの吐水方向も、略水平方向または斜め下方に設定されている。第２の吐水部２２から吐水される一列のシャワー流は、図４１（ｂ）に表したように、座部４に着座した着座者２００の首、肩、肩峰部（肩頂部）を含む範囲をカバーする。また、肩峰から胸に向かってもシャワー流をあてることができる。本実施形態においても、第２の吐水部２２は、着座者２００の真後ろにも設けられているので、着座者２００の首や背中の真後ろにもむらなくシャワー流をあてることができる。このようにして、着座者２００の首から下のほぼ全身をむらなく温めることができる。
【０１３８】
そして、本実施形態においても、座部４の周囲には湯水を溜めるための堰部が形成されている。そして、これら堰部のうちで、前方の堰部は、他の３方の堰部よりも低く形成されている。このようにすると、座部４に溜まった湯水は、横方向に漏れ出ることなく、着座者２００の足に向けて落下する。その結果、着座者２００の足をより効果的に暖めることができる。
【０１３９】
また、本実施形態においても、第１の吐水部２１と第２の吐水部２２を一体的に形成して同時に吐水方向や吐水位置を調節可能としてもよく、または、図４１（ａ）及び（ｂ）に表したように、第１の吐水部２１と第２の吐水部２２とを別体として、これらの吐水方向や吐水位置を独立に調節可能とすることもできる。
【０１４０】
［第１６の実施形態］
図４２（ａ）及び（ｂ）は、本発明の第１６の実施形態に係るシャワー浴装置の模式図である。  
本実施形態のシャワー浴装置は、座部４に着座した着座者２００の頭部またはそれよりも上方において設けられた一対の第１の吐水部２１と、その下方に設けられた一対の第２の吐水部２２と、これら第２の吐水部２２の間に設けられた第３の吐水部２３と、を有する。これら吐水部２１、２２、２３は、２次元的に設けられた複数のシャワー孔をそれぞれ有する。
【０１４１】
第１の吐水部２１の吐水方向は、略水平方向または斜め下方に設定され、吐水されたシャワー流の少なくとも一部は、図４２（ｂ）に表したように、着座者２００の大腿部を中心とした下肢近傍に落下する。第２の吐水部２２から吐水されるシャワー流は、着座者２００の首から肩の範囲をカバーする。第２の吐水部２２は、着座者２００の真後ろにも設けられているので、着座者２００の首や背中の真後ろにもむらなくシャワー流をあてることができる。そして、第３の吐水部２３からのシャワー流は、着座者２００の両側から着座者２００を包み込むように吐水され、着座者２００の肩峰部（肩頂部）から上肢の前後を含む範囲をカバーする。また、肩峰から胸に向かってもシャワー流をあてることができる。このようにして、着座者２００の首から下のほぼ全身をむらなく温めることができる。
【０１４２】
そして、本実施形態においても、座部４の周囲には湯水を溜めるための堰部が形成されている。そして、これら堰部のうちで、前方の堰部は、他の３方の堰部よりも低く形成されている。このようにすると、座部４に溜まった湯水は、横方向に漏れ出ることなく、着座者２００の足に向けて落下する。その結果、着座者２００の足をより効果的に暖めることができる。
【０１４３】
また、本実施形態においても、第１の吐水部２１と第２の吐水部２２を一体的に形成して同時に吐水方向や吐水位置を調節可能としてもよく、第１の吐水部２１と第２の吐水部２２とを別体として、これらの吐水方向を独立に調節可能とすることもできる。
【０１４４】
本実施形態においても、図４２（ａ）及び（ｂ）に表したように、第１〜第３の吐水部２１、２２、２３を共通の基体１５０に形成し、基体１５０の向きを変えることにより、これら吐水部の吐水方向や吐水位置を同時に調節可能とすることができる。
【０１４５】
［第１７の実施形態］
図４３は、本発明の第１７の実施形態に係るシャワー浴装置の模式図である。  
また、図４４は、このシャワー浴装置の座部４の模式図である。
【０１４６】
本実施形態のシャワー浴装置は、シャワーブース３００に設けられている。すなわち、シャワーブース３００の壁面には、前述した各実施の形態のいずれかの吐水部２１、２２、２３が設けられている。そして、これら吐水部２１、２２、２３の下方には、座部４が設けられている。図４４（ａ）は、座部４の使用状態を表し、図４４（ｂ）は、座部４を収納した状態を表す。このように座部４を収納可能とすれば、シャワーブースで立位の状態でシャワーを浴びる際に座部４が邪魔になることもない。
【０１４７】
そして、本実施形態においても、座部４の周囲には湯水を溜めるための堰部が形成されている。そして、これら堰部のうちで、前方の堰部は、他の３方の堰部よりも低く形成されている。このようにすると、座部４に溜まった湯水は、横方向に漏れ出ることなく、着座者２００の足に向けて落下する。その結果、着座者２００の足をより効果的に暖めることができる。
【０１４８】
［第１８の実施形態］
図４５〜図４８は、本発明の第１８の実施形態に係るシャワー浴装置の模式図である。  本実施形態のシャワー浴装置は、背面部２と、台部３と、を有する椅子の形態を有する。背面部２には背もたれ部５が設けられ、台部３には座部４が設けられている。背面部２の上部には、背もたれ部５の両側から斜め前方に延出した一対の翼部２Ｗが設けられている。
【０１４９】
これら翼部２Ｗには、図４６に表したように、第１の吐水部２１、第２の吐水部２２、第３の吐水部２３が設けられている。これら吐水部２１、２２、２３のそれぞれからは、一条または複数状のシャワー状の吐水が可能とされている。一方、座部４は、その前縁から背もたれ部５に向かって下方に傾斜した傾斜面を有する。このように形成された座部４は、その両側端に設けられた壁部６及び背もたれ部５と協働して、湯水を貯留可能としている。
【０１５０】
そして、本実施形態においても、座部４の周囲には湯水を溜めるための堰部が形成されている。そして、これら堰部のうちで、前方の堰部は、他の３方の堰部よりも低く形成されている。このようにすると、座部４に溜まった湯水は、横方向に漏れ出ることなく、着座者２００の足に向けて落下する。その結果、着座者の足をより効果的に暖めることができる。
【０１５１】
また、座部４の鉛直最下部には、開口部３１が設けられている。一方、台部３の前面には、一対の下肢裏吐水部３３が設けられている。これら下肢裏吐水部３３は、開口部３１と連通している。つまり、吐水部２１、２２、２３から吐水され座部４に落下した湯水は、開口部３１から下肢裏吐水部３３に導かれ、図４８に矢印Ｄで表したように、座部４に座った着座者の下肢の裏側に向けて吐水される。このようにして、着座者の下肢の裏側までまんべんなくシャワー流をあてて暖めたりマッサージ効果を与えることができる。なお、座部４に落下した湯水を下肢裏吐水部３３から吐水させるのではなく、給湯源から供給される湯水を下肢裏吐水部３３に導いて吐水させてもよい。
【０１５２】
第１の吐水部２１からは吐水された湯水は、図４８に矢印Ａで表したように、座部４に座った着座者の大腿部を中心とした下肢近傍に落下する。また、第２の吐水部２２から吐水された湯水は、図４８に矢印Ｂで表したように、座部４に座った着座者の首から肩の範囲にあたる。また、第３の吐水部２３から吐水された湯水は、図４８に矢印Ｃで表したように、座部４に座った着座者を両側からを包み込むように肩峰部（肩頂部）から上肢の前後を含む範囲をカバーする。また、肩峰から胸に向かってもシャワー流をあてることができる。また、吐水された湯水の一部は、座部４に貯留される。つまり、座部４に着座した着座者の臀部や大腿部の下側は、座部４に貯留された湯水により暖められる。このようにして、着座者２００の首から下のほぼ全身をむらなく温めることができる。
【０１５３】
本実施形態のシャワー浴装置は、独立した椅子の形態を有するので、シャワーブースや浴室などを工事することなく、手軽に設置することができる。そして、ソファのようにリラックスした着座姿勢で、心地よい全身シャワー浴の恩恵に浴することができる。また、このシャワー浴装置の座部４や背もたれ部５の裏側に振動発生装置を設けると、着座者に振動のマッサージ効果を与えることも可能である。このようにすれば、シャワー浴によるリラックス効果やマッサージ効果と、振動によるマッサージ効果と、を重畳させてさらに高い効果が得られる。
【０１５４】
［実施例］
次に、本発明者が実施した実施例について説明する。  
本発明者は、第１実施形態のシャワー浴装置によるシャワー浴と、湯を溜めた浴槽による入浴と、従来のハンドシャワーによるシャワー浴と、特許文献１に開示されているシャワー浴装置によるシャワー浴と、による暖まり効果をそれぞれ測定する実験を実施した。
【０１５５】
ここで、第１実施形態のシャワー浴装置においては、吐水部２１、２２、２３に供給する湯水の温度を４３℃とし、これら吐水部から吐水される湯水の合計量を毎分１０リッターとした場合（ケースＡ）について実験した。また、湯を溜めた浴槽による入浴（ケースＣ）は、浴槽に４０℃の湯を２３０リッター溜めて入浴を実施した。また、一方、従来のハンドシャワーの場合（ケースＤ）も、シャワーヘッドに供給する湯水の温度を４３℃とし、流量は毎分８リッターとした。一方、特許文献１に開示されたシャワー浴装置（ケースＥ）においては、毎分１０リッターの湯をミスト状に噴出させてシャワー浴を実施した。そして、これらいずれのケースにおいても、入浴の直前と、５分間入浴した後に、被験者の体表面の温度の変化を放射温度計により測定した。
【０１５６】
図４９は、被験者の全身の体表面の温度の変化を表すグラフ図である。ここで、縦軸は、入浴直前の温度からの上昇分を表す。ここでは、首よりも下の全身の体表面の温度の平均を全身の温度とした。  
入浴直前と比較すると、５分間の入浴直後の温度上昇は、浴槽（Ｃ）で３．５℃、本実施形態のシャワー浴装置で（Ａ）で３．２℃、特許文献１のシャワー浴装置（Ｅ）で２．２℃、従来のシャワー（Ｄ）で１．８℃であった。つまり、浴槽（Ｃ）に入浴した場合が最も高く、本実施形態（Ａ）においてはそれに近い温度が得られていることがわかる。一方、これらに比べて、特許文献１に開示されているシャワー浴装置（Ｅ）と従来のオーバーヘッドシャワーの場合（Ｄ）の場合には、温度上昇は小さいことが分かる。
【０１５７】
また、出浴後５分が経過した時には、それぞれ、２．９℃（Ｃ）、２．５℃（Ａ）、２．２℃（Ｅ）、１．７℃（Ｄ）であった。そして、出浴後１０分が経過した時には、それぞれ、２．４℃（Ｃ）、２．２℃（Ａ）、２．０℃（Ｅ）、１．５℃（Ｄ）であった。つまり、出浴後１０分が経過すると、本実施形態のシャワー浴装置によるシャワー浴が浴槽への入浴と同じ温度になる。これは、本実施形態のシャワー浴装置の場合には、湯水による温熱効果だけではなく、リラックスした姿勢で全身にシャワーをまんべんなく浴びることによるマッサージ効果や血行促進効果が得られるからであると考えられる。
【０１５８】
図５０は、被験者の肩の体表面の温度の変化を表すグラフ図である。ここでも、縦軸は、入浴直前の温度からの上昇分を表す。  
入浴直前と比較すると、５分間の入浴直後の肩の温度上昇は、本実施形態のシャワー浴装置で（Ａ）で２．９℃であり、特許文献１のシャワー浴装置（Ｅ）で１．６℃、浴槽（Ｃ）で１．１℃、従来のシャワー（Ｄ）で０．８℃であった。つまり、本実施形態のシャワー浴装置による場合が飛び抜けて高く、特許文献１に開示されているシャワー浴装置（Ｅ）、浴槽（Ｃ）、従来のハンドシャワー（Ｄ）は、いずれも相対的に低いことが分かる。これは、本実施形態のシャワー浴装置の場合、第２の吐水部２２及び第３の吐水部２３（図１参照）からのシャワー流が着座者の肩にまんべんなくかかり、十分に温めることができるからであると考えられる。これに対して、例えば、特許文献１に開示されたシャワー浴装置の場合（Ｅ）、アームから噴射されるミストでは着座者の肩まで十分に暖めることができないと考えられる。一方、浴槽（Ａ）の場合、肩が湯の中に完全に沈んだ状態を長時間維持することは入浴者に苦しく、肩を湯から出した姿勢で入浴せざるを得ない。このため、身体は暖まっても肩は温まりにくい。また、従来のハンドシャワーの場合（Ｄ）は、シャワーヘッドからのシャワー流は必ずしも入浴者の身体にあたるとは限らず、入浴者の全身をむらなく効率的に暖めることは容易ではない。
【０１５９】
出浴後５分が経過した時には、それぞれ、２．３℃（Ａ）、１．８℃（Ｅ）、１．４℃（Ｄ）、１．１℃（Ｃ）であった。そして、出浴後１０分が経過した時には、それぞれ、１．９℃（Ａ）、１．８℃（Ｅ）、１．５℃（Ｄ）、１．０℃（Ｃ）であった。つまり、出浴後１０分が経過しても、本実施形態のシャワー浴装置（Ａ）の場合が最も高い温度が得られている。なお、従来のハンドシャワー（Ｄ）と特許文献１に開示されているシャワー浴装置（Ｅ）の場合、出浴直後からみて５分後と１０分後に温度が徐々に上昇している。これは、これらの方法の場合には、身体の他の部分と比べて肩の温まりが特に低く、出浴後に血流によって身体の他の部分からの熱が肩に伝えられたからであると考えられる。
【０１６０】
図５１は、被験者の下肢の体表面の温度の変化を表すグラフ図である。ここでも、縦軸は、入浴直前の温度からの上昇分を表す。  
入浴直前と比較すると、５分間の入浴直後の下肢の温度上昇は、浴槽（Ｃ）の場合で３．５℃と一番高かったが、本実施形態のシャワー浴装置（Ａ）では、３．２℃であり、浴槽（Ｃ）とほぼ同等の温度上昇が得られた。つまり、本実施形態によれば、第１の吐水部２１（図１参照）から着座者の下肢に直接落下する吐水や、第２の吐水部２２及び第３の吐水部２３から吐水され着座者の身体にあたって座部４の前縁から流れ落ちる湯水などよって、着座者の下肢まで十分に暖めることができることが分かる。
【０１６１】
これに対して、従来のハンドシャワー（Ｄ）と特許文献１のシャワー浴装置（Ｅ）の場合、入浴直後の温度はそれぞれ２．３℃、２．１℃と低い。従来のハンドシャワーの場合（Ｃ）、入浴者の下肢までまんべんなく湯水をかけることが容易ではない。また、特許文献１に開示されたシャワー浴装置の場合、アームから噴出したミストにより着座者の下肢の全体を包み込むことは容易でなく、また、アームから噴出したミストは温度の低下が急速であるために、着座者の下肢の全体をまんべんなく暖めることが困難であると考えられる。
【０１６２】
以上説明したように、本実施例によれば、全身、肩、下肢のいずれについても、本実施形態のシャワー浴装置により高い暖まり効果が得られることが分かった。例えば、全身と下肢については、本実施形態のシャワー浴装置は、浴槽による入浴と同等の暖まり効果が得られる。ここで、浴槽の場合には、例えば２３０リッター程度の湯水を必要とするが、本実施形態によれば、５分間の入浴で５０リッター（ケースＡ）と非常に少ない湯水で済む。つまり、高い節水効果も得られる。また仮に４人が続けて入浴したとしても、浴槽（ケース）よりも少ない湯水で同等の暖まり効果が得られる。
【０１６３】
また、肩についてみると、浴槽よりも高い暖まり効果が得られる。またさらに、本実施形態によれば、着座者の身体に吐水を落下させることによるマッサージ効果も得られる。これにより、例えば肩の「こり」や痛みなどを緩和する効果も得られる。
【０１６４】
以上、本発明の第１〜第１８の実施の形態と、実施例について説明した。  
前述した各実施形態において、各吐水部の座部４からの高さは、例えば、４００〜１４００（ｍｍ）であり、より確実に前述の効果を得るべく好ましくは５００〜１０００（ｍｍ）であり、さらに好ましくは６５０〜９００（ｍｍ）である。  
また、座部４の床面からの高さは、例えば、２５０〜８００（ｍｍ）であり、より確実に前述の効果を得るべく好ましくは３００〜５００（ｍｍ）であり、さらに好ましくは３５０〜４５０（ｍｍ）である。  
また、シャワーブース内での使用を想定した場合には、床面から座部４までの高さは、２５０〜８００（ｍｍ）程度の腰を掛けられる高さの範囲であればよい。
【０１６５】
また、座部４の中心を挟んで対をなす最外側の第３の吐水部間の距離（幅）は、例えば、３４０〜１２００（ｍｍ）であり、より確実に前述の効果を得るべく好ましくは５００〜８００（ｍｍ）であり、さらに好ましくは５５０〜６５０（ｍｍ）である。
【０１６６】
また、前述した各具体例において、吐水部２１、２２、２３のうちで、着座者の下肢近傍に落下するシャワー流の湯水の平均粒径は、その他の吐水部から吐水された湯水の平均粒径よりも大きいものとすることができる。具体的には、例えば、図１に関して前述したシャワー浴装置の第１の吐水部２１から吐水された湯水の平均粒径は１４００〜３０００マイクロメータの範囲とし、第２の吐水部２２と第３の吐水部２３から吐水された湯水の平均粒径は５００〜１４００マイクロメータの範囲とすることができる。このようにすれば、第１の吐水部２１から吐水され、着座者の下肢部に落下するシャワー流の吐水後の温度の低下を抑制し、暖かい湯水を着座者の下肢部にあてることができる。また、同時に第１の吐水部２１から吐水され、着座者の下肢部に落下するシャワー流による刺激を適度に与え、マッサージ効果を得ることができる。なお、湯水の粒径は、吐水孔のサイズや形状を調節することにより制御できる。
【０１６７】
以上、具体例を参照しつつ本発明の実施の形態について説明した。しかし、本発明はこ前述した各具体例に限定されるものではない。  
例えば、前述した各実施形態は、技術的に可能な限り適宜組み合わせて実施してもよく、これらも本発明の範囲に包含される。また、給湯圧力やその変動によらずに常に吐水を安定して下肢などに到達させるために、吐水流量または吐水圧力を調整可能とした流量調整手段または圧力調整手段を設けてもよい。  
また、各具体例における各要素の構造、形状、機能、配置関係、材料などについて当業者が適宜変更あるいは追加したものであっても、本発明の要旨を含む限りにおいて本発明の範囲に包含される。
【図面の簡単な説明】
【０１６８】
【図１】本発明の第１の実施形態に係るシャワー浴装置の外観を模式的に例示する斜視図である。
【図２】図１におけるＡ−Ａ断面図である。
【図３】図１におけるＢ−Ｂ断面図である。
【図４】図１におけるＣ−Ｃ断面図である。
【図５】吐水部の他の具体例を表す模式側面図である。
【図６】着座者に対する各吐水部からのシャワー流の吐水の様子を模式的に表す斜視図である。
【図７】座部の他の具体例を表す模式断面図である。
【図８】本発明の第２の実施形態に係るシャワー浴装置における背もたれ部の模式正面図である。
【図９】図８におけるＤ−Ｄ断面図である。
【図１０】背もたれ部に凹凸を設けない場合の背もたれ部の模式断面図である。
【図１１】背もたれ部に設けた凹凸の他の具体例を表す模式平面図である。
【図１２】背もたれ部に設けた凹凸のさらに他の具体例を表す模式平面図である。
【図１３】背もたれ部に設けた凹凸のさらに他の具体例を表す模式平面図である。
【図１４】本発明の第３の実施形態に係るシャワー浴装置の外観を模式的に例示する斜視図である。
【図１５】同第３の実施形態において、着座者に対する各吐水部からのシャワー流の吐水の様子を模式的に表す斜視図である。
【図１６】本発明の第４の実施形態に係るシャワー浴装置の外観を模式的に例示する斜視図であり、足浴槽が浴室床面上に設置されている状態を表す。
【図１７】本発明の第４の実施形態に係るシャワー浴装置の外観を模式的に例示する斜視図であり、足浴槽が台部の中に収納された状態を表す。
【図１８】足浴槽の収納構造の他の具体例を表す斜視図であり、足浴槽が浴室床面上に設置されている状態を表す。
【図１９】図１８に表される足浴槽の回動途中の状態を表す斜視図である。
【図２０】本発明の第５の実施形態に係るシャワー浴装置の模式側断面図である。
【図２１】本発明の第６の実施形態に係るシャワー浴装置の模式側断面図である。
【図２２】座部の他の具体例を表す模式斜視図である。
【図２３】本発明の第７の実施形態に係るシャワー浴装置の模式側断面図である。
【図２４】本発明の第８の実施形態に係るシャワー装置を側面方向から見た模式図である。
【図２５】同シャワー装置を正面方向から見た模式図である。
【図２６】同シャワー装置における要部を模式的に表す斜視図である。
【図２７】着座者のがにまた姿勢を表す模式図である。
【図２８】着座者の内股姿勢を表す模式図である。
【図２９】本発明の実施形態において下肢裏吐水部の他の具体例を表す模式図である。
【図３０】本発明の第９の実施形態に係るシャワー装置において下肢裏吐水部が斜め上方に向けられた状態を表す模式図である。
【図３１】同第９の実施形態に係るシャワー装置において下肢裏吐水部が斜め下方に向けられた状態を表す模式図である。
【図３２】同第９の実施形態に係るシャワー装置において、がにまた座りの着座者に対応した下肢裏吐水部からの吐水方向を表す模式図である。
【図３３】同第９の実施形態に係るシャワー装置において、内股座りの着座者に対応した下肢裏吐水部からの吐水方向を表す模式図である。
【図３４】本発明の第１０の実施形態に係るシャワー装置において、下肢裏吐水部が座部前縁よりも前方に突出した状態を表す模式図である。
【図３５】本発明の第１０の実施形態に係るシャワー装置において、前後方向の位置を調整可能な下肢裏吐水部を表す模式図である。
【図３６】下肢裏給水路に流量調整手段が設けられた本発明の第１１の実施形態に係るシャワー装置の模式図である。
【図３７】本発明の第１２の実施形態に係るシャワー装置を側面方向から見た模式図である。
【図３８】同シャワー装置を正面方向から見た模式図である。
【図３９】本発明の第１３の実施形態に係るシャワー装置を側面方向から見た模式図である。
【図４０】本発明の第１４の実施形態に係るシャワー浴装置の模式図である。
【図４１】本発明の第１５の実施形態に係るシャワー浴装置の模式図である。
【図４２】本発明の第１６の実施形態に係るシャワー浴装置の模式図である。
【図４３】本発明の第１７の実施形態に係るシャワー浴装置の模式図である。
【図４４】図４０に表したシャワー浴装置の座部４の模式図である。
【図４５】本発明の第１８の実施形態に係るシャワー浴装置の模式図である。
【図４６】本発明の第１８の実施形態に係るシャワー浴装置の模式図である。
【図４７】本発明の第１８の実施形態に係るシャワー浴装置の模式図である。
【図４８】本発明の第１８の実施形態に係るシャワー浴装置の模式図である。
【図４９】被験者の全身の体表面の温度の変化を表すグラフ図である。
【図５０】被験者の肩の体表面の温度の変化を表すグラフ図である。
【図５１】被験者の下肢の体表面の温度の変化を表すグラフ図である。
【符号の説明】
【０１６９】
２ 背面部
２Ｗ 翼部
３ 台部
４ 座部
４Ａ 凹部
６ 壁部
７ 壁部
８ 壁部
１１ 背部
１２ 台部
１３ 流路
１４ ユニット体
１４ 座部
１５ 前縁
１６ 貯留部
１７ 凸部
１７ａ 凸部
１７ｂ 凸部
１７ｃ 凸部
１８ 座面
１９ 傾斜部
２０ 吐水部
２１ 吐水部
２２ 吐水部
２３ 吐水部
２５ 頭部支持部
２７ 前面部
２８ 凹部
２９ 足浴槽
３０ 開口
３１ 開口部
３２ 下肢裏給水路
３３ 下肢裏吐水部
３３ａ 吐水口
３４ 軸部材
３５ 案内部
３６ 座部
３７ａ 壁部
３７ｂ 壁部
３７ｃ 壁部
３８ 溝
４１ 流量調整手段
４３ 下肢裏吐水部
４４ 吐水口
４７ 下肢裏吐水部
４７ａ 吐水口
５１ 吐水部
５２ 吐水部
７６ アーム
７７ 吐水部
８１ アーム
９１ 案内部
９１ａ 傾斜面
１００ 壁面
１００ 浴室壁面
１１０ 床面
１１０ 浴室床面
１５０ 基体
２００ 着座者
３００ シャワーブース
【図１】
2008178650.tif 000005
【図２】
2008178650.tif 000006
【図３】
2008178650.tif 000007
【図４】
2008178650.tif 000008
【図５】
2008178650.tif 000009
【図６】
2008178650.tif 000010
【図７】
2008178650.tif 000011
【図８】
2008178650.tif 000012
【図９】
2008178650.tif 000013
【図１０】
2008178650.tif 000014
【図１１】
2008178650.tif 000015
【図１２】
2008178650.tif 000016
【図１３】
2008178650.tif 000017
【図１４】
2008178650.tif 000018
【図１５】
2008178650.tif 000019
【図１６】
2008178650.tif 000020
【図１７】
2008178650.tif 000021
【図１８】
2008178650.tif 000022
【図１９】
2008178650.tif 000023
【図２０】
2008178650.tif 000024
【図２１】
2008178650.tif 000025
【図２２】
2008178650.tif 000026
【図２３】
2008178650.tif 000027
【図２４】
2008178650.tif 000028
【図２５】
2008178650.tif 000029
【図２６】
2008178650.tif 000030
【図２７】
2008178650.tif 000031
【図２８】
2008178650.tif 000032
【図２９】
2008178650.tif 000033
【図３０】
2008178650.tif 000034
【図３１】
2008178650.tif 000035
【図３２】
2008178650.tif 000036
【図３３】
2008178650.tif 000037
【図３４】
2008178650.tif 000038
【図３５】
2008178650.tif 000039
【図３６】
2008178650.tif 000040
【図３７】
2008178650.tif 000041
【図３８】
2008178650.tif 000042
【図３９】
2008178650.tif 000043
【図４０】
2008178650.tif 000044
【図４１】
2008178650.tif 000045
【図４２】
2008178650.tif 000046
【図４３】
2008178650.tif 000047
【図４４】
2008178650.tif 000048
【図４５】
2008178650.tif 000049
【図４６】
2008178650.tif 000050
【図４７】
2008178650.tif 000051
【図４８】
2008178650.tif 000052
【図４９】
2008178650.tif 000053
【図５０】
2008178650.tif 000054
【図５１】
2008178650.tif 000055
【手続補正書】
【提出日】平成19年12月25日(2007.12.25)
【手続補正１】
【補正対象書類名】特許請求の範囲
【補正対象項目名】全文
【補正方法】変更
【補正の内容】
【特許請求の範囲】
【請求項１】
湯水が溜まる凹状の座部と、
前記座部の周囲に設けられた堰部と、
前記座部の後方の上方に設けられ、前記座部の前方方向に吐水する吐水部と、
を備え、
前記堰部の高さは、前記座部の前方方向において最も低くされ、
前記座部に着座者が着座した状態において、前記吐水部からの吐水の少なくとも一部は、前記着座者の体表面を流れて前記座部に溜まり、
前記座部に溜まった湯水は、横方向に流れ出ることなく前記着座者の足に向けて落下することを特徴とするシャワー浴装置。
【請求項２】
前記座部は、後方から前方に向かって鉛直上方方向に傾斜する傾斜部を有することを特徴とする請求項１記載のシャワー浴装置。
【請求項３】
前記座部の後方に背もたれ部が設けられたことを特徴とする請求項１または２に記載のシャワー浴装置。
【請求項４】
前記背もたれ部は、凹状に形成され、
前記吐水部から吐水された湯水の少なくとも一部は、前記背もたれ部を流れて前記座部に導かれることを特徴とする請求項３記載のシャワー浴装置。
【請求項５】
前記背もたれ部は、凹凸を有し、前記凹凸の凹部により形成される流路を介して前記座部に湯水が導かれることを特徴とする請求項４記載のシャワー浴装置。
【請求項６】
前記座部は、凹凸を有することを特徴とする請求項１〜５のいずれか１つに記載のシャワー浴装置。
【請求項７】
前記座部の下方に、湯水が溜まる足浴槽を設けたことを特徴とする請求項１〜６のいずれか１つに記載のシャワー浴装置。
【請求項８】
前記座部に貯留される湯水を排水する開口部が設けられたことを特徴とする請求項１〜７のいずれか１つに記載のシャワー浴装置。
【請求項９】
前記座部に貯留された湯を吐水させ、前記座部に着座した着座者の下肢の裏側を温める下肢裏温め手段をさらに備え、
前記下肢裏温め手段は、
前記座部に貯留される湯水の水位レベルより下方において前記座部に臨んで設けられた開口部と、
前記開口部に連通する下肢裏吐水部と、
を有することを特徴とする請求項１〜８のいずれか１つに記載のシャワー装置。
【手続補正２】
【補正対象書類名】明細書
【補正対象項目名】０００７
【補正方法】変更
【補正の内容】
【０００７】
本発明の一態様によれば、湯水が溜まる凹状の座部と、前記座部の周囲に設けられた堰部と、前記座部の後方の上方に設けられ、前記座部の前方方向に吐水する吐水部と、を備え、前記堰部の高さは、前記座部の前方方向において最も低くされ、前記座部に着座者が着座した状態において、前記吐水部からの吐水の少なくとも一部は、前記着座者の体表面を流れて前記座部に溜まり、前記座部に溜まった湯水は、横方向に流れ出ることなく前記着座者の足に向けて落下することを特徴とするシャワー浴装置が提供される。